(57)【要約】【課題】建設費の増大及び住宅設計の自由度の制限を抑えつつ、地中熱などの自然環境を利用した住宅を提供する。【解決手段】この住宅１では、基礎２は、地盤面Ｇ１に対し直立して設けられた第１立上り部２１と第１底盤部２２と地中に向かって設けられた第２立上り部２３と地中で水平方向に設けられた第２底盤部２４とが一体的に形成され、建築物３の１階の床との間に第２立上り部２３の内方空間Ｓ１を含んで床下閉空間Ｓを形成し、建築物３は、部屋３６に床下閉空間Ｓの空気が供給される部屋給気孔３６ａが設けられ、外側壁３１に外壁給気孔３１ａと外壁排気孔３１ｂが設けられ、熱交換換気装置４は、建築物３内の空気を導入し、かつ、外壁給気孔３１ａから外部の空気を導入し、互いの空気の間で熱交換し、熱交換された建築物３内の空気を外壁排気孔３１ｂから排出し、かつ、熱交換された外壁給気孔３１ａからの外部の空気を床下閉空間Ｓに供給する。【選択図】図１
0003208225.tif 000002
【実用新案登録請求の範囲】
【請求項１】
基礎と該基礎によって支えられる建築物と熱交換換気装置とを少なくとも備え、
前記基礎は、
前記建築物の外側壁を支える外枠部を少なくとも有し、地盤面に対し直立して設けられた第１立上り部と、
前記外枠部の内側に、前記第１立上り部に連続して前記地盤面に沿って水平方向に設けられた第１底盤部と、
該第１底盤部に連続して地中に向かって設けられた第２立上り部と、
該第２立上り部に連続して地中で水平方向に設けられた第２底盤部と、
が一体的に形成され、前記建築物の１階の床との間に前記第２立上り部の内方空間を含んで床下閉空間を形成し、
前記建築物は、少なくとも１個の部屋に前記床下閉空間の空気が供給される部屋給気孔が設けられ、かつ、前記外側壁に外壁給気孔と外壁排気孔が設けられ、
前記熱交換換気装置は、前記建築物内の空気を導入し、かつ、前記外壁給気孔から外部の空気を導入し、互いの空気の間で熱交換し、熱交換された前記建築物内の空気を前記外壁排気孔から排出し、かつ、熱交換された前記外壁給気孔からの外部の空気を少なくとも前記床下閉空間に供給することを特徴とする住宅。
【請求項２】
請求項１に記載の住宅において、
前記熱交換換気装置は、前記基礎の前記第２立上り部の内方空間に、熱交換された前記外壁給気孔からの外部の空気を供給することを特徴とする住宅。
【請求項３】
請求項１又は２に記載の住宅において、
前記基礎の前記第２底盤部は、それと前記建築物の前記１階の床との間の距離が１．４ｍ以下であることを特徴とする住宅。
【請求項４】
請求項１〜３のいずれか１項に記載の住宅において、
前記基礎の前記第２底盤部は、その内面の面積が前記建築物の前記１階の床の総面積の２分の１以下であることを特徴とする住宅。
【請求項５】
請求項１〜４のいずれか１項に記載の住宅において、
前記建築物の前記１階の床に、前記基礎の前記第２立上り部の内方空間の上方に出入口が設けられていることを特徴とする住宅。
【請求項６】
請求項５に記載の住宅において、
前記出入口の近傍で、前記基礎の前記第２立上り部の内方空間に階段が設けられていることを特徴とする住宅。
【請求項７】
請求項５又は６に記載の住宅において、
前記床下閉空間は、前記１階の床と前記基礎の間に設けられた隔壁に囲まれることによって形成されていることを特徴とする住宅。
【請求項８】
請求項１〜７のいずれか１項に記載の住宅において、
前記部屋給気孔が設けられる前記部屋は、１個又は２個以上であることを特徴とする住宅。
【請求項９】
請求項１〜８のいずれか１項に記載の住宅において、
前記熱交換換気装置は、熱交換された前記外壁給気孔からの外部の空気を前記床下閉空間に直接供給することを特徴とする住宅。
【請求項１０】
請求項１〜８のいずれか１項に記載の住宅において、
前記熱交換換気装置は、熱交換された前記外壁給気孔からの外部の空気をいずれかの部屋に一旦供給し、その部屋からファンと内部配管を通して前記床下閉空間に供給することを特徴とする住宅。
【請求項１１】
請求項１〜１０のいずれか１項に記載の住宅において、
前記基礎は、前記第１立上り部の前記外枠部の外側面の前記地盤面の下側から前記外枠部の上面の一部までの部分が防水基礎シートで覆われ、かつ、前記第１立上り部の前記外枠部の外側面の前記地盤面の下側から下の地中部分が防水基礎地中シートで覆われ、
前記建築物は、前記外側の壁の下面から外側面の所定部までの部分が防水気密パッキンシートで覆われており、該防水気密パッキンシートが前記防水基礎シートに密着していることを特徴とする住宅。
【請求項１２】
請求項１〜１１のいずれか１項に記載の住宅において、
前記少なくとも１個の部屋は、同じ方角に、第１窓、第２窓、天窓を有していることを特徴とする住宅。
【請求項１３】
請求項１〜１２のいずれか１項に記載の住宅において、
太陽光発電パネルを更に備えることを特徴とする住宅。
【請求項１４】
請求項１〜１３のいずれか１項に記載の住宅において、
いずれかの部屋の窓に格子が取り付けられていることを特徴とする住宅。
【考案の詳細な説明】
【技術分野】
【０００１】
本考案は、地中熱などの自然環境を利用した住宅に関する。
【背景技術】
【０００２】
近年、住宅内の温度が外気（住宅外の地上の空気）に左右されず安定した温度に保たれるように地中熱を利用した住宅が知られている。
【０００３】
例えば、特許文献１〜５には、パイプ（チューブ）を基礎杭の中又はそのままの状態で住宅下の地中に縦に埋設し、ファンを駆動することにより、外気を床下からパイプに取り入れて降下させ、地中熱と熱交換を行い上昇させて住宅内に取り出すことが開示されている。特許文献１〜５によると、夏期は涼しい空気が、冬期は暖かい空気が、それぞれ住宅内に吹き出すようにすることができる。
【０００４】
特許文献６には、ダクトを地中に横に埋設し、ファンを駆動することにより、住宅外の外気取入孔から外気をダクトに取り入れて住宅内に取り出すことが開示されている。特許文献６によると、夏期は涼しい空気が住宅内に吹き出すようにすることができる。
【０００５】
特許文献７には、地盤を掘削し、鉄筋コンクリート基礎を地盤面より０．３〜１．５ｍ程度の深さの基礎とし、更に外周部に断熱材を貼り付け、内部は内部空間となり、基礎底面に断熱材はないようにすることが開示されている。特許文献７は、軟弱地盤に対し地盤改良を行わず対応できるようにしたものであり、更に地中熱を利用できるとある。
【先行技術文献】
【特許文献】
【０００６】
【特許文献１】特開２００３−０３５４５５号公報
【特許文献２】特開２００９−００８３２０号公報
【特許文献３】特開２０１１−１９０９５７号公報
【特許文献４】特開２０１３−０９６５８４号公報
【特許文献５】特開２０１４−１０９１８０号公報
【特許文献６】特開２０１０−２７５６８４号公報
【特許文献７】特開２０１２−０５７４５５号公報
【考案の概要】
【考案が解決しようとする課題】
【０００７】
しかしながら、特許文献１〜５及び特許文献６の住宅は、建設費が増大する。特許文献７の住宅は、住宅設計の自由度が大きく制限され、また、軟弱地盤でない場合の適用はない。
【０００８】
本考案は、係る事由に鑑みてなされたものであり、その目的は、建設費の増大及び住宅設計の自由度の制限を抑えつつ、地中熱などの自然環境を利用した住宅を提供することにある。
【課題を解決するための手段】
【０００９】
上記目的を達成するために、請求項１に記載の住宅は、基礎と該基礎によって支えられる建築物と熱交換換気装置とを少なくとも備え、前記基礎は、前記建築物の外側壁を支える外枠部を少なくとも有し、地盤面に対し直立して設けられた第１立上り部と、前記外枠部の内側に、前記第１立上り部に連続して前記地盤面に沿って水平方向に設けられた第１底盤部と、該第１底盤部に連続して地中に向かって設けられた第２立上り部と、該第２立上り部に連続して地中で水平方向に設けられた第２底盤部と、が一体的に形成され、前記建築物の１階の床との間に前記第２立上り部の内方空間を含んで床下閉空間を形成し、前記建築物は、少なくとも１個の部屋に前記床下閉空間の空気が供給される部屋給気孔が設けられ、かつ、前記外側壁に外壁給気孔と外壁排気孔が設けられ、前記熱交換換気装置は、前記建築物内の空気を導入し、かつ、前記外壁給気孔から外部の空気を導入し、互いの空気の間で熱交換し、熱交換された前記建築物内の空気を前記外壁排気孔から排出し、かつ、熱交換された前記外壁給気孔からの外部の空気を少なくとも前記床下閉空間に供給することを特徴とする。
【００１０】
請求項２に記載の住宅は、請求項１に記載の住宅において、前記熱交換換気装置は、前記基礎の前記第２立上り部の内方空間に、熱交換された前記外壁給気孔からの外部の空気を供給することを特徴とする。
【００１１】
請求項３に記載の住宅は、請求項１又は２に記載の住宅において、前記基礎の前記第２底盤部は、それと前記建築物の前記１階の床との間の距離が１．４ｍ以下であることを特徴とする。
【００１２】
請求項４に記載の住宅は、請求項１〜３のいずれか１項に記載の住宅において、前記基礎の前記第２底盤部は、その内面の面積が前記建築物の前記１階の床の総面積の２分の１以下であることを特徴とする。
【００１３】
請求項５に記載の住宅は、請求項１〜４のいずれか１項に記載の住宅において、前記建築物の前記１階の床に、前記基礎の前記第２立上り部の内方空間の上方に出入口が設けられていることを特徴とする。
【００１４】
請求項６に記載の住宅は、請求項５に記載の住宅において、前記出入口の近傍で、前記基礎の前記第２立上り部の内方空間に階段が設けられていることを特徴とする。
【００１５】
請求項７に記載の住宅は、請求項５又は６に記載の住宅において、前記床下閉空間は、前記１階の床と前記基礎の間に設けられた隔壁に囲まれることによって形成されていることを特徴とする。
【００１６】
請求項８に記載の住宅は、請求項１〜７のいずれか１項に記載の住宅において、前記部屋給気孔が設けられる前記部屋は、１個又は２個以上であることを特徴とする。
【００１７】
請求項９に記載の住宅は、請求項１〜８のいずれか１項に記載の住宅において、前記熱交換換気装置は、熱交換された前記外壁給気孔からの外部の空気を前記床下閉空間に直接供給することを特徴とする。
【００１８】
請求項１０に記載の住宅は、請求項１〜８のいずれか１項に記載の住宅において、前記熱交換換気装置は、熱交換された前記外壁給気孔からの外部の空気をいずれかの部屋に一旦供給し、その部屋からファンと内部配管を通して前記床下閉空間に供給することを特徴とする。
【００１９】
請求項１１に記載の住宅は、請求項１〜１０のいずれか１項に記載の住宅において、前記基礎は、前記第１立上り部の前記外枠部の外側面の前記地盤面の下側から前記外枠部の上面の一部までの部分が防水基礎シートで覆われ、かつ、前記第１立上り部の前記外枠部の外側面の前記地盤面の下側から下の地中部分が防水基礎地中シートで覆われ、前記建築物は、前記外側の壁の下面から外側面の所定部までの部分が防水気密パッキンシートで覆われており、該防水気密パッキンシートが前記防水基礎シートに密着していることを特徴とする。
【００２０】
請求項１２に記載の住宅は、請求項１〜１１のいずれか１項に記載の住宅において、前記少なくとも１個の部屋は、同じ方角に、第１窓、第２窓、天窓を有していることを特徴とする。
【００２１】
請求項１３に記載の住宅は、請求項１〜１２のいずれか１項に記載の住宅において、太陽光発電パネルを更に備えることを特徴とする。
【００２２】
請求項１４に記載の住宅は、請求項１〜１３のいずれか１項に記載の住宅において、いずれかの部屋の窓に格子が取り付けられていることを特徴とする。
【考案の効果】
【００２３】
本考案の住宅によれば、建設費の増大及び住宅設計の自由度の制限を抑えつつ、地中熱などの自然環境が利用可能になる。
【図面の簡単な説明】
【００２４】
【図１】本考案の実施形態に係る住宅を示す断面図である。
【図２】同上の住宅の１階を示す平面図である。
【図３】同上の住宅の第２立上り部の内方空間を物の地下収納スペースとして利用する場合の例の断面図である。
【図４】同上の図１の左下部の拡大断面図である。
【図５】同上の住宅の格子の正面図である。
【考案を実施するための形態】
【００２５】
以下、本考案を実施するための形態を説明する。本考案の実施形態に係る住宅１は、図１に示すように、基礎２と、基礎２によって支えられる建築物３と熱交換換気装置４とを少なくとも備えている。なお、図２に示すのは、住宅１の１階の平面図であり、図１は、このＡ−Ａで示す位置での断面図となっている。また、図１中で、矢印付き破線は空気の動きを模式的に示し、矢印付き一点鎖線は光を模式的に示している。
【００２６】
基礎２は、第１立上り部２１と第１底盤部２２と第２立上り部２３と第２底盤部２４が、同時に打設され、一体的に形成されたものである。
【００２７】
第１立上り部２１は、地盤Ｇの表面である地盤面Ｇ１に対し直立して設けられた部分である。また、第１立上り部２１は、建築物３の外側壁３１を支える外枠部２１ａを少なくとも有している。第１底盤部２２は、外枠部２１ａの内側に、第１立上り部２１に連続して地盤面Ｇ１に沿って水平方向に設けられた部分である。第２立上り部２３は、第１底盤部２２に連続して地中に向かって、通常は垂下方向に設けられた部分である。第２底盤部２４は、第２立上り部２３に連続して地中で水平方向に設けられた部分である。
【００２８】
基礎２は、具体的には、以下のようにして形成することができる。すなわち、基礎２の下となる地盤Ｇを掘削し転圧して砕石を敷き詰め、後述する防水基礎地中シート５Ｂを敷き込み、捨てコンクリート及び墨出しを行う。図における符号Ｍは、一部に捨てコンクリートを含む砕石の層を示している。次に、第１立上り部２１と第１底盤部２２と第２立上り部２３と第２底盤部２４となるところの配筋を行う。次に、第１立上り部２１の外側面と内側面の位置及び第２立上り部２３の内側面の位置に型枠を立て、第１立上り部２１と第１底盤部２２と第２立上り部２３と第２底盤部２４となるところにコンクリートを流し込んで同時に打設することにより、第１立上り部２１と第１底盤部２２と第２立上り部２３と第２底盤部２４を一体的に形成する。
【００２９】
このような基礎２は、建築物３の１階の床３２との間に床下閉空間Ｓを形成する。床下閉空間Ｓは、第２立上り部２３の内方空間Ｓ１を含むことになる。
【００３０】
第２底盤部２４は、それと建築物３の１階の床３２との間の距離が１．４ｍ以下であることが好ましい。また、第２底盤部２４は、その内面の面積が建築物の１階の前記床の総面積の２分の１以下であることが好ましい。そのようにすると、第２底盤部２４の内面、つまり第２立上り部２３の内方空間Ｓ１、を物の地下収納スペースとして利用しても、第２底盤部２４は法的な床面積に算入されない。
【００３１】
第２立上り部２３の内方空間Ｓ１を物の地下収納スペースとして利用する場合、図３に示すように、第２立上り部２３の内方空間Ｓ１の上方に出入口３３が設けられるようにしてもよい。出入口３３は、開閉戸を有するようにすることも可能である。出入口３３を設ける場合、出入口３３の近傍で、第２立上り部２３の内方空間Ｓ１に階段３４が設けられるようにするのが好ましい。また、１階の床３２と基礎２（第１底盤部２２）の間に隔壁３５を設けて第２立上り部２３のまわりを囲むようにすることも可能である。そうすると、小部屋の感覚が有るために地下収納スペースとして利用しやすい。隔壁３５には、１階の床３２と基礎２の間の他の床下閉空間Ｓとの通気を確保するために、ガラリなどが取り付けられた通気孔３５ａを設けるのが良い。
【００３２】
建築物３は、少なくとも１個の部屋（例えば、ＬＤＫなど）３６に、床下閉空間Ｓの空気が供給される部屋給気孔３６ａが設けられている。部屋給気孔３６ａは、通常、部屋３６の床に設けられ、ガラリなどが取り付けられる。部屋給気孔３６ａは、部屋３６の床下の床下閉空間Ｓに連通している。また、部屋給気孔３６ａのような部屋給気孔が設けられる部屋は、１個に限られず２個以上でも可能である。
【００３３】
部屋３６の空気の排出は、ドアのアンダーカットなどにおける隙間を用いて行えばよい。この場合、部屋３６から排出された空気は、いずれかの部屋（例えば、洗面脱衣室３６’）から熱交換換気装置４に導入されることになる。なお、部屋３６の空気の排出は、部屋排気孔を設け、排気の空気を通気管を用いて熱交換換気装置４に導入させることで行うことも可能である。
【００３４】
また、建築物３は、外側壁３１に外壁給気孔３１ａと外壁排気孔３１ｂが設けられている。
【００３５】
熱交換換気装置４は、建築物３内の空気を導入する。建築物３内の空気には、部屋３６から排出された空気が含まれる。図１においては、熱交換換気装置４は、部屋３６’の上方に設置されており、部屋３６’の空気を導入している。また、熱交換換気装置４は、外壁給気孔３１ａから外部の空気（外気）を、外部空気導入管４１を通して、導入する。導入された建築物３内の空気と外壁給気孔３１ａからの外部の空気は、互いの空気の間で熱交換する。そして、熱交換換気装置４は、熱交換された建築物３内の空気を、外部排気管４２を通して、外壁排気孔３１ｂから排出する。また、熱交換換気装置４は、熱交換された外壁給気孔３１ａからの外部の空気を、内部給気管４３を通して、少なくとも床下閉空間Ｓ、好ましくは第２立上り部の内方空間Ｓ１、に供給する。図１においては、熱交換された外壁給気孔３１ａからの外部の空気は、第２立上り部の内方空間Ｓ１とともにそれ以外のところにも供給されている。
【００３６】
熱交換換気装置４は、２４時間換気システムに用いられる公知のものを用いればよく、更なる詳細な説明は省略する。建築物３が３階建ての場合や第２立上り部の内方空間Ｓ１が非常に大きい場合などであって、熱交換換気装置４が能力の低いものの場合、熱交換された外壁給気孔３１ａからの外部の空気を内部給気管４３を通して床下閉空間Ｓに直接供給するのではなく、部屋３６等のいずれかの部屋に一旦供給し、その部屋からファンと内部配管を通して床下閉空間Ｓ、好ましくは第２立上り部の内方空間Ｓ１、に供給するようにすることも可能である。
【００３７】
このような住宅１では、第２立上り部２３の内方空間Ｓ１の空気は、地中熱により、外気に比べて夏期は涼しく、冬期は暖かい。また、床下閉空間Ｓ（特に、第２立上り部２３の内方空間Ｓ１）に、熱交換された外壁給気孔３１ａからの外部の空気が供給され、そこで対流が起こり、第２立上り部２３の内方空間Ｓ１の空気は、床下閉空間Ｓ及び部屋給気孔３６ａを通って部屋３６に供給される。
【００３８】
また、住宅１は、特別な構成要素（例えば、背景技術で述べた地中のパイプ又はダクトなど）を有さなくてもよいため、建設費の増大が抑えられる。また、建築物３は通常の建築物と大きくは変わらないため、住宅設計の自由度の制限が抑えられる。また、基礎２は、第１立上り部２１と第１底盤部２２と第２立上り部２３と第２底盤部２４が一体的に形成されているので、接合面がなく、それからの浸水の可能性はない。
【００３９】
次に、基礎２及びその基礎２の近傍における建築物３の詳細構造を説明する。
【００４０】
基礎２は、図４に示すように、防水基礎シート５Ａと防水基礎地中シート５Ｂで覆われている。防水基礎シート５Ａは、第１立上り部２１の外枠部２１ａの外側面の地盤面Ｇ１の下側から外枠部２１ａの上面の一部までの部分を覆っている。防水基礎地中シート５Ｂは、第１立上り部２１の外枠部２１ａの外側面の地盤面Ｇ１の下側から下の地中部分、つまり、第１立上り部２１の下部と第１底盤部２２、第２立上り部２３、及び第２底盤部２４の全てと、を覆っている。防水基礎シート５Ａと防水基礎地中シート５Ｂは、地盤面Ｇ１の下側において端部近傍同士が重なっている。なお、第１立上り部２１の外枠部２１ａの内側面とその近傍の第１底盤部２２の内面には、基礎用断熱材５Ｃが設けられている。なお、図４では、第２立上り部２３と第２底盤部２４は図示していない。
【００４１】
基礎２の近傍における建築物３は、外側壁３１の下面から外側面の所定部までの部分が防水気密パッキンシート６Ａで覆われている。防水気密パッキンシート６Ａは、防水基礎シート５Ａに、両面テープ等で貼り合わされて密着する。なお、防水気密パッキンシート６Ａは、ライン状のゴムパッキン６Ａａ（図４においては２本）が取り付けられており、このゴムパッキン６Ａａは、外側壁３１の下面と基礎２の第１立上り部２１の外枠部２１ａの上面との間に挟まれる。なお、符号３１ｃ、３１ｄ、３１ｅ、３１ｆ、３１ｇはそれぞれ、外側壁３１を構成する土台、プラスターボード、外側壁断熱材、構造合板、サイディングである。また、符号６Ｂは透湿防水シート、符号６Ｃは土台水切である。
【００４２】
このような防水基礎シート５Ａ、防水基礎地中シート５Ｂ、防水気密パッキンシート６Ａにより、基礎２及びその基礎２の近傍における防水性が確保され、気密性が確保される。それにより、床下閉空間Ｓが長年にわたって気密であり、雨水等の浸入もなく衛生的であることが可能になる。
【００４３】
次に、地中熱以外の自然環境の利用について説明する。
【００４４】
住宅１の少なくとも１個の部屋３６は、日光を取り込み易くするように、窓を多くするのが好ましい。例えば、同じ方角（例えば、南など）に、第１窓３６ｂ、第２窓３６ｃ、天窓３６ｄを有するようにする。
【００４５】
また、住宅１は、日光の有効利用のために、太陽光発電パネル７を更に備えているのが好ましい。
【００４６】
また、住宅１は、いずれかの部屋の窓に縦格子などの格子８（図１及び図５参照）が取り付けられているのが好ましい。この格子８は、見通しが良く、外部環境を確認し易い窓に取り付けられると、暴風雨のときなどに、シャッターと異なり、外部環境を確認しながら（外部と遮断されることなく）安全に過ごすことが可能になる。
【００４７】
以上、本考案の実施形態に係る住宅について説明したが、本考案は、上述の実施形態に記載したものに限られることなく、実用新案登録請求の範囲に記載した事項の範囲内でのさまざまな設計変更が可能である。
【符号の説明】
【００４８】
１      住宅
２      基礎
２１    第１立上り部
２１ａ  外枠部
２２    第１底盤部
２３    第２立上り部
２４    第２底盤部
３      建築物
３１    外側壁
３１ａ  外壁給気孔
３１ｂ  外壁排気孔
３２    １階の床
３３    １階の床の出入口
３４    階段
３５    １階の床の下の隔壁
３６    部屋
３６ａ  部屋給気孔
３６ｂ  第１窓
３６ｃ  第２窓
３６ｄ  天窓
４      熱交換換気装置
５Ａ    防水基礎シート
５Ｂ    防水基礎地中シート
６Ａ    防水気密パッキンシート
７      太陽光発電パネル
８      格子
Ｇ      地盤
Ｇ１    地盤面
Ｓ      床下閉空間
Ｓ１    第２立上り部の内方空間
【図１】
0003208225.tif 000003
【図２】
0003208225.tif 000004
【図３】
0003208225.tif 000005
【図４】
0003208225.tif 000006
【図５】
0003208225.tif 000007